(57)【要約】【課題】遊技盤面上において人体等を象った装飾体を人間の自然の所作に似せて動作させることによって、遊技進行上特徴的な演出効果を発揮させることができるようにした可動装飾体、遊技盤ユニット、及びパチンコ遊技機を提供する。【解決手段】所定の軌道に沿って往復動作する第１の可動部材２１を動作させる第１の駆動機構３０と、可動状態にて支持された第２の可動部材４０を動作させる第２の駆動機構５０と、第１及び第２の駆動機構を駆動する単一のモータ６０と、を備え、第１の可動部材は、ベース片２２と、該ベース片によって可動状態にて支持された可動片２３と、を備え、第２の可動部材は、ベース片に固定された基部４１と、該基部により可動状態にて支持され且つ可動片に連動して進退する作動部材４２と、を備え、モータからの駆動力を、第１、又は第２の可動部材に対して択一的に振り分けて伝達する駆動力選択振り分け機構７０と、を備えている。【選択図】図２
2010057829.tif 000002
【特許請求の範囲】
【請求項１】
所定の軌道に沿って往復動作する第１の可動部材と、該第１の可動部材を動作させる第１の駆動機構と、該第１の可動部材により可動状態にて支持された第２の可動部材と、該第２の可動部材を動作させる第２の駆動機構と、前記第１及び第２の駆動機構を駆動する単一のモータと、を備えた可動装飾体であって、
前記第１の可動部材は、ベース片と、該ベース片によって可動状態にて支持された可動片と、を備え、
前記第２の可動部材は、前記ベース片に固定された基部と、該基部により可動状態にて支持され且つ前記第２の駆動機構により駆動される前記可動片に連動して進退する作動部材と、を備え、
前記モータからの駆動力を、前記第１の可動部材、又は前記第２の可動部材に対して択一的に振り分けて伝達する駆動力選択振り分け機構と、を備えていることを特徴とする可動装飾体。
【請求項２】
前記第１の駆動機構は、前記所定の軌道に沿って配設されたラックギヤと、前記ベース片により回転自在に軸支されて該ラックギヤと噛合可能なギヤ部及び噛合不能な非ギヤ部を有すると共に前記モータにより回転駆動されるピニオンギヤと、を備え、
前記第２の駆動機構は、前記ベース片により回転自在に軸支されて前記ピニオンギヤのギヤ部と噛合し且つ前記非ギヤ部と噛合不能な中間ギヤと、該中間ギヤと一体回転する回転部材と、該回転部材の回転力を前記可動片に伝達して前記作動部材を進退させる伝達機構と、を備え、
前記駆動力振り分け機構は、前記ピニオンギヤと前記中間ギヤとから構成されていることを特徴とする請求項１に記載の可動装飾体。
【請求項３】
前記第１の可動部材は昇降経路に沿って昇降する昇降部材であり、前記第２の可動部材は前記昇降経路と交差する方向へ進退動作するギミックであることを特徴とする請求項１、又は２に記載の可動装飾体。
【請求項４】
所定の軌道に沿って昇降する昇降部材と、該昇降部材を昇降させる昇降機構と、該昇降部材に固定されたギミック本体、及び該ギミック本体により動作可能に支持された作動部材から成るギミックと、該作動部材を動作させるギミック駆動機構と、前記昇降機構と前記ギミック駆動機構を駆動する単一のモータと、を備えた可動装飾体であって、
前記昇降部材は、前記ギミック本体を固定するベース片と、該ベース片によって可動状態に支持されると共に前記作動部材を支持した可動片と、を備え、
前記モータからの駆動力を、前記第１の可動部材、又は前記第２の可動部材に対して択一的に振り分けて伝達する駆動力選択振り分け機構と、を備えていることを特徴とする可動装飾体。
【請求項５】
前記第１の駆動機構は、前記所定の軌道に沿って伸縮し且つ先端部で前記第２の可動部材を支持するパンタグラフと、該パンタグラフを伸縮させる伸縮駆動機構と、を備え、
前記第２の駆動機構は、前記パンタグラフの先端部に支持された押圧部材と、前記可動片を退避方向へ弾性付勢する弾性部材と、前記可動片に設けられて前記押圧部材によって押圧されることにより前記可動片を前記弾性部材に抗して突出方向へ移動させるカム部と、を備え、
前記駆動力振り分け機構は、前記第１、及び第２の駆動機構から構成されていることを特徴とする請求項１に記載の可動装飾体。
【請求項６】
請求項１乃至５の何れか一項に記載の可動装飾体を備えたことを特徴とする遊技盤ユニット。
【請求項７】
請求項６に記載の遊技盤ユニットを備えたことを特徴とするパチンコ遊技機。
【発明の詳細な説明】
【技術分野】
【０００１】
本発明は、パチンコ遊技機等の遊技機を構成する遊技盤面上においてギミック等の装飾体を例えば上下方向及び横方向へ複合的に動作させることによって遊技進行上特徴的な演出効果を発揮させることができるようにした可動装飾体、遊技盤ユニット、及びパチンコ遊技機に関する。
【背景技術】
【０００２】
パチンコ遊技機等の遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
特許文献１には大当たりになると図柄表示装置の表示内容に連動して役物等の可動部品を前後方向に移動させる技術が開示されている。
また、本出願人の提案に係る特許文献２には、遊技盤の盤面と平行な左右方向へ往復移動する第１可動役物と、遊技盤の前後方向へ往復移動する第２可動役物と、を備えた役物装置が開示されている。これによれば、遊技内容の複雑、高度化に対応した演出を実現することができる。
しかし、何れの従来技術にあっても、各可動部品を左右、前後に定速で進退させるため、可動部品はそのままの姿勢を維持したまま前後左右に単純移動するに過ぎず、遊技内容に関わる演出に対して高い多様性、躍動感を求める遊技者の要求を十分に満たすには至っていない。このように可動部品の動作内容に更なる多様性が求められているにも関わらず、例えば遊技中のストーリー展開に深く関わるキャラクターの身体（例えば、ステージ上に正座した人物）を象ったギミックが上下、左右に複合的に動作する（例えば、下方に退避していたステージが上昇して正座した人物がお辞儀する）という意外性を有した動作を実現するための機構はこれまで提案されていない。
【特許文献１】特開平０６−００７５０９号公報
【特許文献２】特願２００５−２１４１９７
【発明の開示】
【発明が解決しようとする課題】
【０００３】
以上のように従来の可動盤面部品は、左右、上下、前後の各方向へ単純に往復移動していたに過ぎなかったため、遊技の進行に係るストーリー展開に重要な役割を果たすキャラクターを象った装飾体の動作に更に多様性、意外性を付与することができる動作機構の開発が求められていた。例えば、常時においては遊技盤面上に現れていないステージが遊技の進行中における入賞、その他の状況変化を契機として遊技盤面上に出現し、ステージ上に正座している人物が状態を前後に揺動させるお辞儀動作を実現できる動作機構の開発が求められていた。しかも、このような動作機構を必要最低限の部品数、モータ数によって実現することが求められている。
本発明は上記に鑑みてなされたものであり、例えば、遊技盤面上において人体等を象った装飾体を人間の自然の所作に似せて動作させることによって、遊技進行上特徴的な演出効果を発揮させることができるようにした可動装飾体、遊技盤ユニット、及びパチンコ遊技機を提供することを目的としている。
【課題を解決するための手段】
【０００４】
上記目的を達成するため、請求項１の発明に係る可動装飾体は、所定の軌道に沿って往復動作する第１の可動部材と、該第１の可動部材を動作させる第１の駆動機構と、該第１の可動部材により可動状態にて支持された第２の可動部材と、該第２の可動部材を動作させる第２の駆動機構と、前記第１及び第２の駆動機構を駆動する単一のモータと、を備えた可動装飾体であって、前記第１の可動部材は、ベース片と、該ベース片によって可動状態にて支持された可動片と、を備え、前記第２の可動部材は、前記ベース片に固定された基部と、該基部により可動状態にて支持され且つ前記第２の駆動機構により駆動される前記可動片に連動して進退する作動部材と、を備え、前記モータからの駆動力を、前記第１の可動部材、又は前記第２の可動部材に対して択一的に振り分けて伝達する駆動力選択振り分け機構と、を備えていることを特徴とする。
遊技内容に係るキャラクター等を象った第２の可動部材が、上下、左右に複合的に動作する（例えば、下方に退避していたステージが上昇して正座した人物がお辞儀する）という意外性を有した動作を一つのモータを用いて実現することができる。しかも、使用する駆動力伝達部材の数を必要最小限とすることができる。
請求項２の発明に係る可動装飾体は、請求項１において、前記第１の駆動機構は、前記所定の軌道に沿って配設されたラックギヤと、前記ベース片により回転自在に軸支されて該ラックギヤと噛合可能なギヤ部及び噛合不能な非ギヤ部を有すると共に前記モータにより回転駆動されるピニオンギヤと、を備え、前記第２の駆動機構は、前記ベース片により回転自在に軸支されて前記ピニオンギヤのギヤ部と噛合し且つ前記非ギヤ部と噛合不能な中間ギヤと、該中間ギヤと一体回転する回転部材と、該回転部材の回転力を前記可動片に伝達して前記作動部材を進退させる伝達機構と、を備え、前記駆動力振り分け機構は、前記ピニオンギヤと前記中間ギヤとから構成されていることを特徴とする。
中間ギヤに設けたギヤ部と非ギヤ部によって駆動力振分けを行うことができるため、部品点数を低減できる。
【０００５】
請求項３の発明に係る可動装飾体は、請求項１、又は２において、前記第１の可動部材は昇降経路に沿って昇降する昇降部材であり、前記第２の可動部材は前記昇降経路と交差する方向へ進退動作するギミックであることを特徴とする。
請求項４の発明に係る可動装飾体は、所定の軌道に沿って昇降する昇降部材と、該昇降部材を昇降させる昇降機構と、該昇降部材に固定されたギミック本体、及び該ギミック本体により動作可能に支持された作動部材から成るギミックと、該作動部材を動作させるギミック駆動機構と、前記昇降機構と前記ギミック駆動機構を駆動する単一のモータと、を備えた可動装飾体であって、前記昇降部材は、前記ギミック本体を固定するベース片と、該ベース片によって可動状態に支持されると共に前記作動部材を支持した可動片と、を備え、前記モータからの駆動力を、前記第１の可動部材、又は前記第２の可動部材に対して択一的に振り分けて伝達する駆動力選択振り分け機構と、を備えていることを特徴とする。
請求項５の発明に係る可動装飾体は、請求項１において、前記第１の駆動機構は、前記所定の軌道に沿って伸縮し且つ先端部で前記第２の可動部材を支持するパンタグラフと、該パンタグラフを伸縮させる伸縮駆動機構と、を備え、前記第２の駆動機構は、前記パンタグラフの先端部に支持された押圧部材と、前記可動片を退避方向へ弾性付勢する弾性部材と、前記可動片に設けられて前記押圧部材によって押圧されることにより前記可動片を前記弾性部材に抗して突出方向へ移動させるカム部と、を備え、前記駆動力振り分け機構は、前記第１、及び第２の駆動機構から構成されていることを特徴とする。
請求項６の発明に係る遊技盤ユニットは、請求項１乃至５の何れか一項に記載の可動装飾体を備えたことを特徴とする。
請求項７の発明に係るパチンコ遊技機は、請求項６に記載の遊技盤ユニットを備えたことを特徴とする。
【発明の効果】
【０００６】
以上のように本発明に係る可動装飾体は、モータからの駆動力を、第１の可動部材、又は第２の可動部材に対して択一的に振り分けて伝達する駆動力選択振り分け機構を備えているため、部品点数の少ないシンプルな構成によって第１の可動部材の進退動作と、第２の可動部材による意外性のある動作を実現することが可能となる。
【発明を実施するための最良の形態】
【０００７】
以下、本発明を図面に示した実施の形態により詳細に説明する。
図１は本発明の一実施形態に係る遊技機の一例としてのパチンコ遊技機の正面図である。
図１に示すパチンコ遊技機１は、矩形形状の枠２を有し、この枠２の窓孔に対して裏側から遊技盤３が着脱可能に取り付けられている。
遊技盤３の前面側には図示しないガラス枠が開閉可能に取り付けられている。また遊技盤３の下部には遊技球を貯めておく受け皿部４と、受け皿部４内の遊技球を発射する発射レバー５等が設けられている。また受け皿部４の上部には、遊技演出を行うチャンスボタンや十字キー、あるいは遊技球の購入ボタンや購入取り消しボタンなどの操作部６が設けられている。
遊技盤３の裏面には、液晶画面、主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、発射レバー５を操作することにより発射装置から発射された遊技球を遊技領域３ａの上部に案内したり、アウト口７に案内したりする外レールＲ１及び内レールＲ２が設けられている。
遊技盤３のほぼ中央には、画像表示手段としての液晶表示器８が配置されている。液晶表示器８は、例えば液晶表示パネルにより構成され、通常動作状態の時は、特別図柄に応じた画像が表示される。また、所謂リーチ状態や特別遊技状態の時は、それぞれの遊技状態であることを示す演出画像等が表示される。
遊技盤３の右側下方の遊技領域外には、特別図柄の変動と表示を行う図示しない特別図柄表示器や普通図柄の変動と表示を行う普通図柄表示器などが設けられている。
【０００８】
特別図柄変動中に後述する第１始動口スイッチ又は第２始動口スイッチによって遊技球の入賞が検知されると、当該入球によって得られる特別図柄の変動表示の権利、いわゆる貯留球が貯留される。この貯留された貯留球の数は貯留ランプにより表示される。
液晶表示器（画像表示装置）８の下方には、始動入賞口９が設けられ、更にその下方には特別図柄表示器の特別図柄を可変表示させるための可変入賞装置１０が設けられている。
可変入賞装置１０は、上始動ポケット１１と、左右一対の開閉爪（開閉片）を有する電動式チューリップ（以下、「電チュー」と称する）１２とを備える。上始動ポケット１１内には、特別図柄表示器の特別図柄を変動表示させる第１始動口スイッチが設けられている。また電チュー１２の内部には、特別図柄表示器の特別図柄を変動表示する第２始動口スイッチが設けられている。
【０００９】
また、液晶表示器８の左側には、遊技盤の右下部に配置された普通図柄表示器を作動させるためのゲート１３が設けられている。ゲート１３の内部にはゲートスイッチが設けられており、遊技球がゲート１３のゲートスイッチを通過したときに、所定時間作動して停止するようになっている。そして、所定態様で停止したときに可変入賞装置１０に設けられた電チュー１２から成る開閉片を所定時間、開成動作するように構成されている。
さらに可変入賞装置１０の下方には、特別遊技状態の一つである大当り状態のときに開成状態になる開閉扉を有する大入賞口１４が設けられている。
また遊技盤３には、普通入賞口１６が設けられていると共に、風車や図示しない多数の遊技釘が突設されている。遊技釘は、遊技球の落下速度を遅くすると共に、落下方向を複雑に変化させて遊技進行上の興趣を高めている。
液晶表示器８の前方には、可動装飾体２０を配置して遊技内容に応じた演出を行わせる。
本発明の特徴的な構成は、可動装飾体２０の構成にある。
【００１０】
図２（ａ）及び（ｂ）は可動装飾体の退避状態（下降状態）を示す正面図、及び左側部縦断面図であり、図３は図２の右側部縦断面図であり、図４（ａ）及び（ｂ）は可動装飾体の出現状態（上昇状態）を示す正面図、及び左側部縦断面図であり、図５（ａ）及び（ｂ）はお辞儀状態を示す正面図、及び左側部縦断面図であり、図６は図５の右側部縦断面図であり、図７はお辞儀動作の説明図であり、図８はギミック及び駆動機構の構成を示す斜視図であり、図９（ａ）及び（ｂ）は各駆動機構の底面図である。
可動装飾体２０は、この例では遊技の進行に関与する登場人物（キャラクター）の身体を象った立体形状のギミックを含んでおり、平坦なステージ上に複数の人物が正座している状態を示している。
可動装飾体２０は、所定の軌道に沿って往復動作する第１の可動部材（昇降部材）２１と、第１の可動部材２１を動作させる第１の駆動機構（昇降機構）３０と、第１の可動部材２１により可動状態にて支持された第２の可動部材（人物を象ったギミック）４０と、第２の可動部材４０を動作させる第２の駆動機構（ギミック駆動機構）５０と、第１及び第２の駆動機構３０、５０を駆動する単一のモータ６０と、モータ６０からの駆動力を、第１の可動部材２１、又は第２の可動部材４０に対して択一的に振り分けて伝達する駆動力選択振り分け機構７０と、を備えている。モータ６０は、制御手段によって制御される。
【００１１】
第１の可動部材２１は、昇降駆動される板状のステージを象ったベース片２２と、ベース片２２の下面側において可動状態にて（前後方向へ進退自在に）支持された可動片２３と、を備える。可動片２３は、ベース片２２に形成した複数の長穴２２ａ内に遊嵌されて前後動する連結部材２３ａを介してベース片２２と連結されることにより、ベース片の下面において前後方向へスライド自在に支持されている（図８、図９）。
第２の可動部材４０は、ベース片２２に固定された基部（ギミックの正座状態の下半身）４１と、基部４１により可動状態にて支持され且つ第２の駆動機構５０により駆動される可動片２３に連動して進退する作動部材（ギミックの上半身）４２と、を備える。可動片２３が後退した位置にあるときには第２の可動部材４０は図２乃至図４に示した様に作動部材４２を起こした姿勢を維持している一方で、可動片２３が前進した位置にある時には図５、図６に示すように作動部材４２は前傾した姿勢（お辞儀姿勢）となる。このように第２の可動部材を構成する作動部材４２は、第１の可動部材２１の移動方向と交差する方向へ動作するように構成されている。
【００１２】
ギミックの上半身を象った作動部材４２は、基部４１に設けた軸Ａ１によって前後方向へ揺動自在に軸支された胴部４２ａと、胴部４２ａの上部に設けた軸Ａ２によって前後方向へ回動自在に軸支された頭部４２ｂと、胴部４２ａの肩部に設けた軸Ａ３によって回動自在に軸支された腕部４２ｃと、腕部４２ｃの先端部に設けた軸Ａ４により回動自在に軸支された手部４２ｄと、を備えており、手部４２ｄは連結部材２３ａを介して可動片２３と連結されている。従って、可動片２３が後方へ退避した位置と前方へ移動した位置との間を進退する過程で、手部４２ｄ及び腕部４２ｃ各軸Ａ４、Ａ３を支点として回動しつつ前後動作するため、胴部４２ａが前後方向へ揺動することができる。また、頭部４２ｂは胴部４２ａが起き上がっている時には軸Ａ２を支点として上向きとなっている一方で、胴部４２ａが前方へ倒れ込むと頭部の自重によって前方へ落ち込む。
【００１３】
次に、第１及び第２の駆動機構３０、５０、並びに駆動力選択振り分け機構７０の構成、及び動作について説明する。
なお、本例では、遊技機側に固定される第１のケーシング２００により第２のケーシング２０１が支持されており、第２のケーシング２０１の内側に可動装飾体２０が昇降自在に支持されている構成例を示すが、これは一例に過ぎない。
まず、第１の駆動機構（昇降機構）３０は、所定の軌道、本例では上下方向へ延びる軌道に沿って第２のケーシング２０１の内壁に固定配設されたラックギヤ３１と、ベース片２２の下面に直交して一体化された保持板２２ｂにより回転自在に軸支されてラックギヤ３１のギヤ部と噛合可能なギヤ部３２ａ及び噛合不能な非ギヤ部３２ｂを有すると共にモータ６０により回転駆動されるピニオンギヤ３２と、を備えている。ピニオンギヤ３２はその全周に亘ってギヤ部が形成されている訳ではなく、略半周分のみにギヤ部３２ａが形成され、残りの半周分は平坦な非ギヤ部３２ｂとなっている。
【００１４】
第２の駆動機構５０は、ベース片に一体化した保持板２２ｂにより回転自在に軸支されてピニオンギヤのギヤ部３２ａと噛合し且つ非ギヤ部３２ｂと噛合不能な中間ギヤ５１と、中間ギヤ５１と一体回転する回転部材５２と、回転部材５２の回転力を可動片２３に伝達して作動部材４２を進退させる伝達機構５３と、を備えている。
ピニオンギヤのギヤ部３２ａが固定側のラックギヤ３１と噛合しているときにモータ６０がピニオンギヤ２３を回転させることにより第１の可動部材２１及び第２の可動部材４０は一体として上下動することができる。このとき、ピニオンギヤの非ギヤ部３２ｂと接する中間ギヤ５１は駆動力の伝達を受けることができない（図２、図３）。
一方、ピニオンギヤの非ギヤ部３２ｂが固定側のラックギヤ３１側と対面しているときにはピニオンギヤ２３が回転しても駆動力は第１の可動部材２１には伝達されず、第１の可動部材２１は昇降しない。この時は中間ギヤ５１がピニオンギヤのギヤ部３２ａと噛合するため駆動力の伝達を受けることができる状態となっている（図４、図５）。
【００１５】
部分的にギヤ部３２ａを有したピニオンギヤ３２と、これと噛合可能な位置にある中間ギヤ５１とは、モータ６０からの駆動力を、第１の可動部材２１、又は第２の可動部材４０に対して択一的に振り分けて伝達する駆動力選択振り分け機構７０とを構成する。
回転部材５２は中間ギヤ５１の軸部５１ａにより中心部を固定された円板であり、保持板２２ｂを間に挟んで中間ギヤ５１とは反対側に配置されている。回転部材５２の周縁部に近い面にはピン５２ａが突設されており、このピン５２ａは可動片２３の下面から垂下した突片２３ｂに設けた縦長の長穴２３ｃ内に嵌合している。このため、ピニオンギヤ３２からの駆動力によって中間ギヤ５１が回転することによって回転部材５２が回転すると、ピン５２が長穴２３ｃ内を上下動しつつ突片２３ｂを押圧するため、ピン５２からの押圧力によって可動片２３が前後方向へ進退することができる。
【００１６】
モータ６０は保持板２２ｂに固定されることにより第１の可動部材２１と共に昇降する。モータ６０の出力軸に固定された出力ギヤ６１は伝達ギヤ６２を介して他の伝達ギヤ６３と連結されている。伝達ギヤ６３の軸６３ａはピニオンギヤ３２の回転軸と共用されている。つまり、伝達ギヤ６３とピニオンギヤ３２は軸６３ａを介して一体化されている。従って、モータ６０からの駆動力は、出力ギヤ６１、伝達ギヤ６２、６３、ピニオンギヤ３２へと伝達される。ピニオンギヤ３２からの駆動力は、駆動力選択振り分け機構７０によって第１の可動部材２１、又は第２の可動部材４０に対して択一的に伝達される。従って、第１の可動部材２１が駆動しているときには第２の可動部材４０は停止しており、第２の可動部材４０が駆動しているときには第１の可動部材２１は停止している。従って、第２の可動部材２１が昇降している時には第２の可動部材４０は停止しており、第２の可動部材が上昇位置に停止した状態では第２の可動部材４０が動作することとなる。
【００１７】
以上の構成を備えた可動装飾体２０の動作手順を説明する。
まず、図２、図３に示した初期状態（下降位置）では、ピニオンギヤ３２のギヤ部３２ａはラックギヤ３１のギヤ部と噛合した状態にあり、第１の可動部材２１は遊技盤面に設けた開口部３ｂから退避した状態にある。
この初期状態でモータ６０を上昇方向へ駆動すると、モータ６０からの駆動力は、出力ギヤ６１、伝達ギヤ６２、６３へと伝達されて第２の可動部材４０側に組み込まれたピニオンギヤ３２を上昇方向へ回転させる。その結果、第２の可動部材４０が上昇を開始する。この時、ピニオンギヤ３２の非ギヤ部３２ｂは中間ギヤ５１と対面しているため中間ギヤ５１に対してはピニオンギヤからの駆動力は伝達されない。
この時、可動片２３は初期位置、即ち後方へ退避した位置に停止している（図９（ａ））。
【００１８】
第２の可動部材４０が上昇し終わった状態は図４に示されている。この際、第１の可動部材２１は、遊技盤面の開口部３ｂから出現している。この時点ではピニオンギヤのギヤ部３２ａはラックギヤ３１から離脱しており、非ギヤ部３２ｂがラックギヤ３１と対面している。一方、ピニオンギヤの非ギヤ部３２ｂは中間ギヤ５１と噛合し始めた状態にある。従って、この最上昇位置でモータを駆動してピニオンギヤを矢印で示す上昇方向へ回転させ続けてもラックギヤ３１には駆動力は伝達されない一方で、中間ギヤ５１が回転し始める。
中間ギヤ５１が回転すると軸部５１ａを介して一体化された回転部材５２が回転するためピン５２ａが長穴２３ｃ内を上下動し、後方に位置していた可動片２３を前方へ移動させてから（図９（ｂ））、後方へ戻す動作を繰り返す。即ち、ピン５２ａが初期位置から１８０度回転する過程で可動片２３は後方から前部へ移動し、ピン５２ａが更に１８０度回転して初期位置に戻る過程で可動片は前部から後部へ戻る。回転部材５２が一回転する過程で可動片２３は一回前後動する。
図７は可動片の前後動作に連動した作動部材４２のお辞儀動作を示している。同図に実線で示すように可動片２３が後方位置にあるときにはギミックの上半身を象った作動部材４２は起き上がった姿勢を保持しているが、可動片２３が前方へスライドした状態では鎖線で示したように作動部材４２は前傾した姿勢となる。可動片２３が後方へ戻る際には前傾姿勢から起き上がった姿勢に戻る。この時、各軸Ａ１〜Ａ４が関節となって胴部４２ａ、頭部４２ｂ、腕部４２ｃ、手部４２ｄ間の角度を自在に変化させるため、作動部材４２（上半身）は全体として柔軟に往復動作することができる。
【００１９】
次に、図１０乃至図１３に基づいて本発明の他の実施形態について説明する。
図１０（ａ）及び（ｂ）は本発明の他の実施形態に係る可動装飾体の下降状態及び上昇状態を示す正面図であり、図１１（ａ）及び（ｂ）は図１０（ａ）及び（ｂ）と対応する側部断面図であり、図１２はお辞儀状態を説明する側部断面図であり、図１３は第１及び第２の駆動機構の構成を示す斜視図である。
なお、上記第１の実施形態と同一部分には同一符号を付し、重複した説明は省略する。
可動装飾体２０は、所定の軌道に沿って往復動作する第１の可動部材（昇降部材）２１と、第１の可動部材２１を動作させる第１の駆動機構（昇降機構）３０と、第１の可動部材２１により可動状態にて支持された第２の可動部材（人物を象ったギミック）４０と、第２の可動部材４０を動作させる第２の駆動機構（ギミック駆動機構）５０と、第１及び第２の駆動機構３０、５０を駆動する単一のモータ６０と、モータ６０からの駆動力を、第１の可動部材２１、又は第２の可動部材４０に対して択一的に振り分けて伝達する駆動力選択振り分け機構７０と、を備えている。モータ６０は、制御手段によって制御される。
【００２０】
第１の可動部材２１は、昇降駆動される板状のステージを象ったベース片２２と、ベース片２２の下面側において可動状態にて（前後方向へ進退自在に）支持された可動片２３と、可動片２３を常時後方へ付勢する弾性部材２５と、を備える。可動片２３は、図８、図９に示したようにベース片２２に形成した複数の長穴２２ａ内に遊嵌されて前後動する連結部材２３ａを介してベース片２２と連結されることにより、ベース片の下面において前後方向へスライド自在に支持されている。弾性部材２５は、可動片２３を後方へ向けて常時付勢しているため、外力が加わらない場合には可動片２３は後方に位置している。ベース片２２は、固定側に設けられた図示しないストッパによって所定の高さを超えて上昇できないように構成されている。
【００２１】
第２の可動部材４０の構成は、第１の実施形態と同様である。
この実施形態に係る第１の駆動機構３０は、所定の軌道（昇降経路）に沿って伸縮し且つ先端部で第２の可動部材４０を支持するパンタグラフ８０と、パンタグラフ８０を伸縮させる伸縮駆動機構８５と、を備えている。各パンタグラフ８０は、二本のリンク片８０ａの中間部をピン８０ｂにより回動自在に軸支すると共に、各リンク片８０ａの両端部に設けたピン８０ｃを水平方向へ進退自在に支持されている。パンタグラフ８０の下部と上部には夫々支持板８１、８２が配置され、各支持板８１、８２に設けた長穴８１ａ、８２ａによって各ピン８０ｂを移動自在に支持している。このため、各リンク片８０ａが図１０（ａ）に示した収縮状態にある時には各ピン８０ｂは長穴８１ａ、８２ａ内を外側に移動した状態にある。一方、各リンク片８０ａが図１０（ｂ）に示した伸長状態にある時には各ピン８０ｂは長穴８１ａ、８２ａ内を内側に移動した状態にある。
【００２２】
伸縮駆動機構８５は、支持板８１により支持されたモータ８６と、対向する２本のリンク片８０ａ間に差し渡された連結棒８７と、連結棒８７に固定されたナット部材８８と、ナット部材８８の雌螺子部に螺合したボール螺子８９と、ボール螺子８９の一端部を回転自在に軸支するための支持板８１に固定された軸受部材９０と、ボール螺子８９の一端部により軸心を固定されたプーリ９１と、モータ８６の出力軸に設けたプーリ８６ａとプーリ９１との間に巻掛けられたタイミングベルト９２と、を有する。
モータ８６が正逆回転することによりタイミングベルト９２を介してボール螺子８９が正逆回転すると、ナット８８と一体化した連結棒８７がボール螺子の軸方向へ進退する。このため、連結棒８７と連結された各パンタグラフ８０が伸縮動作を繰り返して支持板８２を昇降させる。支持板８２は、第２の可動部材４０を支持して昇降させる。
次に、第２の駆動機構５０は、パンタグラフ８０の先端部に支持された支持板８２によって支持された押圧部材１００と、可動片２３の底部に固定された円弧状の突起であるカム部（キャスター状のローラ）１０１と、支持板８２とベース片２２との間に配置されるバネ部材１０２と、を有している。
カム部１０１は、パンタグラフ８０の伸長時に押圧部材１００によって押圧されることにより可動片を弾性部材２５に抗して突出方向（前方）へ移動させる手段である。
駆動力振り分け機構７０は、第１、及び第２の駆動機構３０、５０から構成されている。
【００２３】
図１０（ａ）の下降状態においては第１の可動部材２１は遊技盤面に設けた開口部３ｂから退避しているが、図１０（ｂ）の上昇時には開口部３ｂから出現しており、前方からの視認が可能となっている。
図１０（ａ）の下降状態にある第１の可動部材２１を上昇させるためには制御手段からの制御信号によってモータ８６を上昇方向へ回転させる。すると、タイミングベルト９２を介してボール螺子８９が回転駆動されるため、ナット部材８８を支持した連結棒８７が内側へ移動し、図１０（ｂ）のようにパンタグラフ８０を伸長させる。
図１０（ａ）のようにベース片２２及び可動片２３が下降している時には押圧部材１００はカム部１０１と非接触、或いは軽く接触した状態にあるため、可動片２３は弾性部材２５の力によって後方へ退避した状態にある。一方、図１０（ｂ）のようにベース片２２及び可動片２３が所定の高さ位置まで上昇すると、ベース片２２は図示しないストッパによってそれ以上の上昇を阻止される一方で、ベース片２２の停止以降も支持板８２がバネ部材１０２を圧縮させながら上昇を続けることにより押圧部材１００がカム部１０１を強く押し上げようとする。このため、ローラから成る押圧部材１００はカム部１０１の下面に沿って相対的に後方へ転動移動し、可動片２３を弾性部材２５に抗して前方へ押し出すことができる。
可動片２３が前方へ移動することによって第２の可動部材４０がお辞儀動作を実施することは上記実施形態と同様である。
【００２４】
このように本発明では、遊技中のストーリー展開に深く関わるキャラクターの身体（例えば、ステージ上に正座した人物）を象った第２の可動部材４０が、上下、左右に複合的に動作する（例えば、下方に退避していたステージが上昇して正座した人物がお辞儀する）という意外性を有した動作を一つのモータを用いて実現することができる。
なお、パチンコ遊技機の詳細な構成については図示説明していないが、本願発明の技術的範囲中に遊技機、及び遊技盤ユニットが含まれることに疑いがない。
【図面の簡単な説明】
【００２５】
【図１】本発明の一実施形態に係る遊技機の一例としてのパチンコ遊技機の正面図である。
【図２】（ａ）及び（ｂ）は可動装飾体の退避状態（下降状態）を示す正面図、及び左側部縦断面図である。
【図３】図２の右側部縦断面図である。
【図４】（ａ）及び（ｂ）は可動装飾体の出現状態（上昇状態）を示す正面図、及び左側部縦断面図である。
【図５】（ａ）及び（ｂ）はお辞儀状態を示す正面図、及び左側部縦断面図である。
【図６】図５の右側部縦断面図である。
【図７】お辞儀動作の説明図である。
【図８】ギミック及び駆動機構の構成を示す斜視図である。
【図９】（ａ）及び（ｂ）は各駆動機構の底面図である。
【図１０】（ａ）及び（ｂ）は本発明の他の実施形態に係る可動装飾体の下降状態及び上昇状態を示す正面図である。
【図１１】（ａ）及び（ｂ）は図１０（ａ）及び（ｂ）と対応する側部断面図である。
【図１２】お辞儀状態を説明する側部断面図である。
【図１３】第１及び第２の駆動機構の構成を示す斜視図である。
【符号の説明】
【００２６】
１：パチンコ遊技機、３ａ：遊技領域、３ｂ：開口部、４：皿部、５：発射レバー、６：操作部、７：アウト口、８：液晶表示器、９：始動入賞口、１０：可変入賞装置、１１：上始動ポケット、１２：電チュー、１３：ゲート、１４：大入賞口、１６：普通入賞口、２０：可動装飾体、２１：第１の可動部材、２２：ベース片、２２ａ：長穴、２２ｂ：保持板、２３：ピニオンギヤ、２３：可動片、２３ａ：連結部材、２３ｂ：突片、２３ｃ：長穴、２５：弾性部材、３０：第１の駆動機構、３１：ラックギヤ、３２：ピニオンギヤ、３２ａ：ギヤ部、３２ｂ：非ギヤ部、４０：第２の可動部材、４１：基部、４２：作動部材、４２ａ：胴部、４２ｂ：頭部、４２ｃ：腕部、４２ｄ：手部、５０：第２の駆動機構、５１：中間ギヤ、５１ａ：軸部、５２：ピン、５２：回転部材、５２ａ：ピン、５３：伝達機構、６０：モータ、６１：出力ギヤ、６１、：出力ギヤ、６２：伝達ギヤ、６２、６３：伝達ギヤ、６３：伝達ギヤ、６３ａ：軸、７０：駆動力振り分け機構、８０：パンタグラフ、８０ａ：リンク片、８０ｂ：ピン、８０ｃ：ピン、８１：支持板、８１ａ：長穴、８２：支持板、８５：伸縮駆動機構、８６：モータ、８６ａ：プーリ、８７：連結棒、８８：ナット、８９：ボール螺子、９０：軸受部材、９１：プーリ、９２：タイミングベルト、１００：押圧部材、１０１：カム部、１０１：ケーシング、１０２：バネ部材
【図１】
2010057829.tif 000003
【図２】
2010057829.tif 000004
【図３】
2010057829.tif 000005
【図４】
2010057829.tif 000006
【図５】
2010057829.tif 000007
【図６】
2010057829.tif 000008
【図７】
2010057829.tif 000009
【図８】
2010057829.tif 000010
【図９】
2010057829.tif 000011
【図１０】
2010057829.tif 000012
【図１１】
2010057829.tif 000013
【図１２】
2010057829.tif 000014
【図１３】
2010057829.tif 000015